(57)【要約】【課題】配索後の廃却や回収を行なわずに使用できるとともに保護機能を十分に発揮することができるランプ保護カバーを提供する。【解決手段】  光源３１を有しルーフライニングに取り付けられた意匠部に組み付けられる機能部３２を備えたランプ３０に着脱自在に取り付けられるランプ保護カバー１０であって、ルーフライニングとルーフパネルとの間に配置される緩衝部材を兼用するランプ保護カバー１０。【選択図】図１
2008068786.tif 000002
【特許請求の範囲】
【請求項１】
光源を有しルーフライニングに取り付けられた意匠部に組み付けられる機能部を備えたランプに着脱自在に取り付けられるランプ保護カバーであって、
前記ランプから取り外された後に、前記ルーフライニングとルーフパネルとの間に配置される緩衝部材に兼用することを特徴とするランプ保護カバー。
【請求項２】
前記緩衝部材と同種の材料で作成されており、前記光源を覆って被着される光源被着部と、該機能部に装着される機能部装着部と、を備えていることを特徴とする請求項１に記載したランプ保護カバー。
【請求項３】
前記ルーフライニング及び前記ルーフパネルの少なくとも一方に固定される固定手段を備えていることを特徴とする請求項１または請求項２に記載したランプ保護カバー。
【発明の詳細な説明】
【技術分野】
【０００１】
本発明は、光源を有し、レンズ、スイッチ等で構成された意匠部に取り付けられる機能部を備えたランプに取り付けられるランプ保護カバーに関する。
【背景技術】
【０００２】
従来のランプ保護カバーとして、図４に示すように、一端を閉塞したキャップ形状に形成されたものランプ保護カバー１００が知られている（例えば、特許文献１参照）。
【０００３】
特許文献１に開示されたランプ保護カバー１００は、閉塞端１０１の反対側がコネクタ挿入端１０２になっており、コネクタ挿入端１０２に折り返し筒部１０３を有する。コネクタ挿入端１０２より差し込まれたコネクタ１０４は、折り返し筒部１０３に囲まれた内部を通り、内端の開口１０５を通過して閉塞端１０１へと挿入される。そして、不図示の車体パネルの貫通孔に通し、コネクタ１０４に接続されているワイヤハーネス１０６を引っ張ることで折り返し筒部１０３がひっくり返り、コネクタ１０４を車体パネル内に配置するようにしている。
【０００４】
【特許文献１】特開２００２−３６２２５７号公報（図１）
【発明の開示】
【発明が解決しようとする課題】
【０００５】
ところが、上記特許文献１に開示されたランプ保護カバー１００においては、ワイヤハーネス１０６とともにサブアッセンブリとなった状態での輸送時に保護を行うことはできるものの、配索後に、廃却したり、回収して再使用したりする場合に、そのための輸送工数が必要であるとともに、再使用のための洗浄や、再使用する際の使用可否の選別の作業が必要であり、多大な工数を伴っていた。
【０００６】
また、ランプ保護カバー１００が樹脂製であるために、コネクタ１０４を含めて、コネクタ１０４に組み付けられる光源に対して衝撃を与える虞があり得る。
【０００７】
そして、内端の開口１０５がコネクタ１０４の外形よりも大きいために、輸送中等に、この開口１０５の隙間から埃等が侵入してしまい、十分な保護を行えなくなる虞がある。
【０００８】
本発明は、上述した事情に鑑みてなされたものであり、その目的は、配索後の廃却や回収を行なわずに使用できるとともに保護機能を十分に発揮することができるランプ保護カバーを提供することにある。
【課題を解決するための手段】
【０００９】
１）本発明に係るランプ保護カバーは、光源を有しルーフライニングに取り付けられた意匠部に組み付けられる機能部を備えたランプに着脱自在に取り付けられるランプ保護カバーであって、前記ランプから取り外された後に、前記ルーフライニングとルーフパネルとの間に配置される緩衝部材に兼用することを特徴とする。
【００１０】
上記１）に記載の発明によれば、機能部が意匠部に組み付けられる際に機能部から取り外されたランプ保護カバーが、ルーフライニングとルーフパネルとの間に配置される緩衝部材として用いられる。これにより、ワイヤハーネスとともにサブアッセンブリとなった状態での輸送時に光源を含めて機能部を保護することができるとともに、ワイヤハーネスの配索後に、廃却したり回収して再使用したりしないで、そのまま、車体構造部品として使用することができる。
【００１１】
２）また、本発明に係るランプ保護カバーは、上記１）に記載のランプ保護カバーであって、前記緩衝部材と同種の材料で作成されており、前記光源を覆って被着される光源被着部と、該機能部に装着される機能部装着部と、を備えていることを特徴とする。
【００１２】
上記２）に記載の発明によれば、ランプ保護カバーが緩衝部材と同種の材料で成形されているために、光源を含めて機能部を衝撃から十分に保護することができる。また、機能部に装着されている際に、機能部装着部によって、外部からの埃等の侵入を阻止できるとともに、機能部から取り外される際に、光源被着部によって、万が一に光源に付着している埃等を除去することができる。
【００１３】
３）また、本発明に係るランプ保護カバーは、上記１）または上記２）に記載のランプ保護カバーであって、前記ルーフライニング及び前記ルーフパネルの少なくとも一方に固定される固定手段を備えていることを特徴とする。
【００１４】
上記３）に記載の発明によれば、機能部が意匠部に組み付けられる際に機能部から取り外されたランプ保護カバーは、接着剤や両面テープ等の固定手段によって、ルーフライニングとルーフパネルとの間に簡単に取り付けられる。これにより、熟練等を必要としない、極めて簡単な組付け作業を提供することができる。
【発明の効果】
【００１５】
本発明のランプ保護カバーによれば、廃却したり回収して再使用したりする場合に輸送工数が必要であり、再使用のための洗浄や、再使用する際の使用可否の選別の作業が必要である、光源に対して衝撃を与える虞がありうる、十分な保護を行えない、という問題を解決でき、これにより、配索後の廃却や回収を行なわずに使用できるとともに保護機能を十分に発揮することができるという効果が得られる。
【発明を実施するための最良の形態】
【００１６】
以下、本発明に係る好適な実施の形態例を図面に基づいて詳細に説明する。
【００１７】
図１〜図３は本発明に係るランプ保護カバーの一実施形態を示すもので、図１は本発明の一実施形態に係るランプ保護カバーとランプとの外観斜視図、図２は図１に示すランプ保護カバーのルーフライニング取付状態の外観斜視図、図３は図２のＩ−Ｉ線断面図である。
【００１８】
図１に示すように、本発明の一実施形態であるランプ保護カバー１０は、チップウレタン相当材を用いて、ランプ装着側に開口部１１を有する六面体に形成されており、光源３１と機能部３２とを有するランプ３０に着脱自在に取り付けられる。
【００１９】
ランプ３０は、機能部３２を形成するケース３３内に不図示の端子が収容されており、先端部に、電球である光源３１が挿着されることで端子に電気的に接続され、端子に接続されている２本の電線３４からなるワイヤハーネス枝線３５が基端部から引き出されている。
【００２０】
ランプ保護カバー１０は、開口部１１の周囲に、機能部装着部である当接リブ１２が形成されており、開口部１１の後方に、機能部収容部１３と、光源被着部１４と、が孔形状にして連通形成されている。
【００２１】
当接リブ１２は、ランプ３０の機能部３２の外形よりもわずかに小さい内形に形成されているために、開口部１１からランプ３０が挿入されることで、ランプ３０の機能部３２に外嵌されて開口部１１を閉塞する。
【００２２】
機能部収容部１３は、ランプ３０の機能部３２の外形よりもわずかに大きい内形の角孔形状に形成されているために、開口部１１からランプ３０が挿入されることで、ランプ３０の機能部３２を収容して保持する。
【００２３】
光源被着部１４は、ランプ３０の光源３１の外形に相似する内形の丸孔形状に形成されているために、開口部１１からランプ３０が挿入されることで、ランプ３０の先端部の光源３１に被さるように組み付けられる。
【００２４】
ランプ保護カバー１０は、底面に、固定手段である両面テープ１５が取り付けられている。両面テープ１５は底面に加えて、天面に取り付けられても良い。また、固定手段として接着剤を用いるようにしても良い。
【００２５】
次に、図２を参照して、ワイヤハーネス枝線３５を配索する際におけるランプ保護カバー１０の組付け手順について説明する。
【００２６】
ランプ保護カバー１０は、ルーフライニング配索用ワイヤハーネスの製造ラインにおいて、端部にコネクタ３６が接続されているワイヤハーネス幹線３７から並列に分岐されたワイヤハーネス枝線３５の端部に接続されている複数の４個のランプ３０にそれぞれ装着され、その装着状態のまま、車体配索工程へと搬送される。このとき、ランプ保護カバー１０は、当接リブ１２がランプ３０の機能部３２に外嵌されて開口部１１を閉塞しているために、外部から埃等が侵入することはなく、機能部収容部１３がランプ３０の機能部３２を収容して保持するとともに、光源被着部１４がランプ３０の光源３１に被着されているために、機能部３２及び光源３１が保護されて搬送される。
【００２７】
そして、車体配索工程へ搬送されてきたワイヤハーネス幹線３７がルーフライニング４１上の側部に引き回され、フロント側のワイヤハーネス枝線３５がルーフライニング４１の前端部に置かれ、リア側のワイヤハーネス枝線３５がルーフライニング４１の後端部に置かれる。このとき、ランプ保護カバー１０のそれぞれは、ランプ３０に装着されたままである。ルーフライニング４１は、チップウレタンやスポンジ等を素材として成形されており、車室内側にビニールレザーを貼り付けた成形天井である。
【００２８】
次に、ランプ保護カバー１０のそれぞれが、それぞれの位置でランプ３０から取り外される。このとき、ランプ保護カバー１０がランプ３０から外されることで、ランプ保護カバー１０の光源被着部１４が、ランプ３０の光源３１を拭いながら光源３１から離脱されるために、万が一に光源３１に埃等が付着していたとしても、その埃等を拭って光源３１を清浄な状態とする。
【００２９】
ランプ保護カバー１０のそれぞれが取り外されたランプ３０は、フロント側のワイヤハーネス枝線３５に接続されている２個のうちの１個がフロント右側のバニティミラー用意匠部４２に装着され、残りの１個がフロント左側のバニティミラー用意匠部４３に装着される。そして、リア側のワイヤハーネス枝線３５に接続されている２個のうちの１個がリア右側のパーソナルランプ用意匠部４４に装着され、残りの１個がリア左側のパーソナルランプ用意匠部４５に装着される。
【００３０】
そして、ランプ３０が取り外されたそれぞれのランプ保護カバー１０は、フロント右側のバニティミラー用意匠部４２及びフロント左側のバニティミラー用意匠部４３の後方であって、ルーフライニング４１の中央部に設置されている緩衝部材４６，４７の前方に両面テープ１５でもってルーフライニング４１の上面に取り付けられ、リア右側のパーソナルランプ用意匠部４４及びリア左側のパーソナルランプ用意匠部４５の側方であって、ルーフライニング４１の後方部に設置されている緩衝部材４８，４９の間に両面テープ１５でもってルーフライニング４１の上面に取り付けられ、ルーフライニング４１がルーフパネル５０に固定される。緩衝部材４６，４７，４８，４９は、ルーフライニング４１と同様のチップウレタンやスポンジ等を素材として成形されている。
【００３１】
図３に示すように、ランプ保護カバー１０は、高さ寸法Ｈ１が、ルーフパネル５０とルーフライニング４１との間の寸法である、緩衝部材４６（４７，４８，４９）の高さ寸法Ｈ２と同等に形成されているとともに、ルーフライニング４１の素材と同様のチップウレタン相当材で作成されているために、両面テープ１５で取り付けられた所定の位置において、緩衝部材４６（４７，４８，４９）と同等の緩衝機能を発揮するものとなる。
【００３２】
上述したように、本実施形態のランプ保護カバー１０によれば、機能部３２が意匠部４２〜４５に組み付けられる際に機能部３２から取り外されたランプ保護カバー１０が、ルーフライニング４１とルーフパネル５０との間に配置される緩衝部材４６〜４９に併用されて用いられる。これにより、ワイヤハーネス幹線３７及びワイヤハーネス枝線３５とともにサブアッセンブリとなった状態での輸送時に光源３１を含めて機能部３２を保護することができるとともに、ワイヤハーネス枝線３５の配索後に、廃却したり回収して再使用したりしないで、そのまま、車体構造部品として使用することができる。
【００３３】
また、ランプ保護カバー１０によれば、ランプ保護カバー１０が緩衝部材４６〜４９と同種の材料で成形されているために、光源３１を含めて機能部３２を衝撃から十分に保護することができる。また、機能部３２に装着されている際に、当接リブ１２によって、外部からの埃等の侵入を阻止できるとともに、機能部３２から取り外される際に、光源被着部１４によって、万が一に光源３２に付着している埃等を除去することができる。
【００３４】
また、ランプ保護カバー１０によれば、機能部３２が意匠部４２〜４５に組み付けられる際に機能部３２から取り外されたランプ保護カバー１０は、両面テープ１５によってルーフライニング４１とルーフパネル５０との間に簡単に取り付けられる。これにより、熟練等を必要としない、極めて簡単な組付け作業を提供することができる。
【００３５】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００３６】
例えば、ランプの数は一例であって、車両のグレード等により、例えば、両バニティミラー意匠部の間にマップランプ意匠部を配置するようにすることもできる。
【００３７】
また、ランプから取り外されたランプ保護カバーのルーフライニング上での設置位置は一例であって、図示した位置に限定されることはなく、ルーフパネルの共振特性等を考慮して好ましい位置に設置されるのが良い。
【図面の簡単な説明】
【００３８】
【図１】本発明の一実施形態に係るランプ保護カバーとランプとの外観斜視図である。
【図２】図１に示したランプ保護カバーのルーフライニング取付状態の外観斜視図である。
【図３】図２のＩ−Ｉ線断面図である。
【図４】従来のランプ保護カバーの概観図である。
【符号の説明】
【００３９】
１０                    ランプ保護カバー
１２                    当接リブ（機能部装着部）
１４                    光源被着部
１５                    両面テープ（固定手段）
３０                    ランプ
３１                    光源
３２                    機能部
４１                    ルーフライニング
４２，４３              バニティミラー用意匠部（意匠部）
４４，４５              パーソナルランプ用意匠部（意匠部）
４６，４７，４８，４９  緩衝部材
５０                    ルーフパネル
【図１】
2008068786.tif 000003
【図２】
2008068786.tif 000004
【図３】
2008068786.tif 000005
【図４】
2008068786.tif 000006